(57)【要約】【課題】縦框と横框との連結が容易であり、しかも横框にパネルを強固に取付けることができる門扉を提供するを提供する。【解決手段】縦框２と円筒状の横框３からなる枠体１にパネル４が取付けられ、パネル４の上下端部に一体に形成された胴縁部に横框３が貫通して、その側端部３１が縦框２に設けられた挿入孔２１に挿入され、前記縦框２から横框３の内壁面の長手方向に沿って設けられたビスホール３２に向けてビスＢ１が螺着されて縦框２と横框３とが連結されるとともに、ビスホール３２を横切って横框３に設けられたボルト孔３３に横框３とパネル４の胴縁部とを連結するボルトＢ２が前後に貫通されるように構成する。【選択図】        図１
2015045161.tif 000002
【特許請求の範囲】
【請求項１】
縦框と円筒状の横框からなる枠体にパネルが取付けられた門扉であって、パネルの上下端部に一体に形成された胴縁部に前記横框が貫通して、その側端部が縦框に設けられた挿入孔に挿入され、前記縦框から横框の内壁面の長手方向に沿って設けられたビスホールに向けてビスが螺着されて縦框と横框とが連結されるとともに、前記ビスホールを横切って横框に設けられたボルト孔に横框とパネルの胴縁部とを連結するボルトが前後に貫通されていることを特徴とする門扉。
【発明の詳細な説明】
【技術分野】
【０００１】
本発明は、枠体にパネルが取付けられてなる門扉に関する。
【背景技術】
【０００２】
一般に、住宅等の出入口に設置される門扉は、鋳物として一体に形成されたものや、左右の縦框に対して、その間にパネルを取付けたものや、上下の横框と組み合わせて矩形状に形成した枠にパネルを取付けたもののような各種部材を組み立てて用いられるものがある。
【０００３】
通常、これらの門扉は、一側端を門柱によって支持されたいわゆる片持ちタイプの形態が多いため、門扉の自重によって門扉自体が変形するおそれがあり、門扉の強度を高めたものが提案されている。
【０００４】
例えば、特許文献１には、縦框に通孔を形成し、上下の横框の間に複数の桟を取付けた該横框の一端部を上記通孔に挿通させて上記縦框に連結した門扉が開示されている。
【先行技術文献】
【特許文献】
【０００５】
【特許文献１】実公昭６３−３９３５９号公報
【発明の開示】
【発明が解決しようとする課題】
【０００６】
前記門扉は、横框に桟が取付けられており、縦框の通孔に対して横框は回転や反転しうるものではないが、左右の縦框と上下の横框による枠にパネルを取付ける門扉の場合、横框は、前記通孔に対して反転・回転させた状態でも挿通しうるものの、横框の端部が目視できない状態となるため縦框と横框との連結具の位置合わせが容易でなく、施工性の点で問題が生じる場合があった。
【０００７】
本発明は、前記の如き問題点を解消し、縦框の通孔に対して横框が反転・回転可能に挿通できる場合であっても縦框と横框との連結が容易であり、しかも横框にパネルを強固に取付けることができる門扉を提供する。
【課題を解決するための手段】
【０００８】
上記目的を達成するために、本発明は次のような構成としている。
すなわち本発明に係る門扉は、縦框と円筒状の横框からなる枠体にパネルが取付けられた門扉であって、パネルの上下端部に一体に形成された胴縁部に前記横框が貫通して、その側端部が縦框に設けられた挿入孔に挿入され、前記縦框から横框の内壁面の長手方向に沿って設けられたビスホールに向けてビスが螺着されて縦框と横框とが連結されるとともに、前記ビスホールを横切って横框に設けられたボルト孔に横框とパネルの胴縁部とを連結するボルトが前後に貫通されていることを特徴とするものである。
【発明の効果】
【０００９】
本発明によれば、ビスホールを横切って横框に設けられたボルト孔に横框とパネルの胴縁部とを連結するボルトが前後に貫通されているので、縦框から横框のビスホールにビスを螺着させる際、ボルト孔の位置を視認しておけば、当該ボルト孔の位置がビスホールの設けられている位置であるので、ビスホールの位置を容易に把握し、施工性の向上が図れる。
【図面の簡単な説明】
【００１０】
【図１】本発明に係る門扉の実施の一形態を示す正面図である。
【図２】図１の縦框の上部付近の拡大説明図である。
【図３】図２のＡ−Ａ断面における拡大断面図である。
【図４】図２のＢ−Ｂ断面における拡大断面図である。
【図５】図１のＣ−Ｃ断面における拡大端面図である。
【図６】図１の縦框の上部付近の拡大説明図である。
【図７】図６のＤ−Ｄ断面における拡大横断面図である。
【図８】図１の縦框の下部付近における拡大説明図である。
【図９】本発明に係る門扉の実施の他の形態を示す正面図である。
【発明を実施するための形態】
【００１１】
次に、本発明を実施するための最良の形態について図面を参照し、具体的に説明する。
【００１２】
図１は、本発明に係る門扉の実施の形態を示す正面図である。門扉Ｐは、左右の縦框２と上下の横框３とによって矩形状の枠体１が形成され、該枠体１にパネル４が取付けられている。
【００１３】
縦框２は、一般にはアルミニウム合金からなる筒状の型材を適宜長さに切断したものや、それらにめっき、塗装を施したもの等を好適に用いることができる。本形態では、断面矩形状に形成されており、門柱５側の縦框２は、門柱５に対してヒンジＨを軸として門扉Ｐが回動可能に開閉できるように取付けられている。また中央側の縦框２は、本形態では、一方の中段部にレバー付きの錠６が取付けられ、他方には前記錠Ｌと対応する高さに錠受け部（図示せず）が設けられており、施錠して左右の門扉を閉める。
【００１４】
横框３は、上下に間隔をあけて左右の縦框２の間に取付けられており、縦框２と同様に、一般にはアルミニウム合金からなる筒状の型材を適宜長さに切断したものや、それらにめっき、塗装を施したもの等を好適に用いることができる。
【００１５】
次に、縦框２と横框３との連結構造について図２〜４を用いて詳しく説明する。すなわち、図２は図１の縦框上部付近の要部拡大正面図、図３は図２のＡ−Ａ部の拡大断面図、図４は図２のＢ−Ｂ部の拡大断面図である。横框３の左右の側端部３１は、縦框２において枠体１の内側の内側壁部２１に設けられて該縦框２の内部に通じる挿入孔２２に挿入されており、連結具としてのビスＢ１が横框３の内壁部の長手方向に沿って設けられたビスホール３２に螺着されて、横框３が縦框２に固定されている。以下詳細な説明は省略するが、横框３と縦框２とは、他の隅部においても同様な形態で連結されている。これにより、縦框２と横框３とが強固に連結されおり、容易には外れないため、門扉Ｐは、自重による変形を抑えることができる。
【００１６】
ビスホール３２は、本形態では、横框３の内壁部の前後に相対向するようにして１個ずつ設けられており、それぞれにビスＢ１が螺着されている。
【００１７】
図５は、図１のＣ−Ｃ端面における部分拡大端面図である。パネル４は、本形態では、多本数の鋼線材が縦横格子状に配置され、その交差部を溶接によって接合し、更にその表面を合成樹脂で被覆したものである。更に、縦線材４２の上部が側面視円形状に屈曲されて、当該屈曲部の内側に横線材４３が上下に間隔をあけて接合されており、前記縦線材４２と横線材４３とによって上胴縁部４１が形成されている。
【００１８】
門柱５は、一般には円筒状の鋼管を適宜長さに切断して作製され、下端部が設置面に埋設され、左右に間隔をあけて2個設けられており、それぞれの門柱５に門扉Ｐが取付けられている。門柱５は、一般には強度的に安定しておりコストの安い鋼管が好適に用いられるが、鋼管に限るものではなく、アルミニウム合金型材、ステンレス鋼管でもよい。
【００１９】
次にパネル４の上胴縁部４１と上部の横框３との固定構造について図５〜７を用いて詳しく説明する。すなわち、図５は図１の縦框上部付近の拡大正面図、図６は図５のＣ−Ｃ部の要部拡大断面図、図４は図２のＤ−Ｄ部の要部拡大断面図である。パネル４の上胴縁部４１に上部の横框３を貫通し、その左右の両側端部３１を左右の縦框２の挿入孔２２に挿入した後、ビスＢ１を横框３のビスホール３２に螺着して連結する。かようにして連結するだけで、パネル４を上部の横框３に固定しなくても上部の横框３から外れず、またパネル４の左右方向の位置調整も容易である。本形態では、パネル４の下部も縦線材４２が側面視円形状に屈曲され、当該屈曲部に接合された横線材４３とによって下胴縁部４４が形成されており、前記と同様にして、下胴縁部４４に下部の横框３を貫通し、その左右の両側端部３１を左右の縦框２の挿入孔２２に挿入した後、ビスＢ１を横框３のビスホール３２に螺着することにより、連結することができる。
【００２０】
上胴縁部４１と上部の横框３とは、押さえ部材６を介して固定されている。すなわち、押さえ部材６は、正面視において上胴縁部４１の縦線材４２のピッチよりも幅狭であって、かつ側面視においては、前後に配置された立上片６１とその立上片６１を連結する連結片６２とを有するＵ字状に形成されており、上胴縁部４１の前後の横線材４３が立上片６１の間に配置されている。両立上片６１は、それぞれ前後に貫通するボルト孔６３が設けられている。また上部の横框３にも前後に貫通するボルト孔３３が設けられている。これらのボルト孔３３、６３を前後に貫通するボルトＢ２にナットＮ２を螺着させることによって、立上片６１間で上胴縁部４１と上部の横框３とが締結される。なお締結とは、上胴縁部４１と上部の横框３とが圧接された状態でもよく、上胴縁部４１と上部の横框３との間に隙間があいた状態でもよく、少なくともボルトＢ２がボルト孔３３、６３から容易に抜けないようにナットＮ２に螺着されていればよい。
【００２１】
上部の横框３のボルト孔３３は、ビスホール３２を横切って設けられているため、ボルトＢ２にナットＮ２を締め付ける際、該ボルト孔３３付近は変形しにくくなり、横線材４３と上部の横框３とをより強固に締結することができる。また、縦框２と上部の横框３とを連結する際、上部の横框３の側端部３１は縦框２の内部に挿入されて視認できなくなるところ、正面視において、前記ボルト孔３３とビスホール３２との位置が重なっているので、ビスホール３２の位置を認識することが可能となり、ビスホール３２にビスＢ１を螺着する際、ビスホール３２の位置合わせが容易となる。したがって、本形態ように、縦框２の挿入孔２２に挿入した上部の横框３がその状態では回動可能な場合であっても、縦框２と上部の横框３との連結作業が容易となる。
【００２２】
押さえ部材６は、本形態では、Ｕ字状に形成された一体型であるが、連結片６２を備えずに二個の立上片６１からなる形態でもよい。
【００２３】
下部の横框３と下胴縁部４４との固定構造は、図８に示すように、図５〜７に示された固定構造と比べて、押さえ部材６が逆Ｕ字状に配置されている点が異なるが、他は同様なので詳しい説明は省略する。
【００２４】
本形態は、いわゆる両開き門扉であって、一方の門扉Ｐの縦框２の下端から落とし棒７が出入り可能に取付けられている。
【００２５】
落とし棒７は、図８に示すように、縦框２に挿入された下部の横框３の側端部３１に貫通孔３４が径方向としての上下方向に貫通され、この上下の貫通孔３４に挿通されている。そして、貫通孔３４は、ビスホール３２を横切る２個のボルト孔３３を結ぶ仮想線と直交する方向の径方向で形成されており、ビスホール３２を横切る2個のボルト孔３３が正面に見えるようにして、縦框２の貫通孔３４に下部の横框３を挿入することによって、外から見えない貫通孔３４が上下に配置されることとなるので、落とし棒７を貫通孔３４に挿通させやすくなる。
【００２６】
なお、本形態では、いわゆる両開き型の門扉であるが、図9に示すように、左右の門柱４の間に１個の門扉Ｐを用いた、いわゆる片開き型にも用いることができる。
【００２７】
本発明は、住宅等の出入口に設置される門扉において広く利用することができる。
【符号の説明】
【００２８】
１    枠体
２    縦框
２１  挿入孔
３    横框
３１  側端部
３２  ビスホール
３３  ボルト孔
３４  貫通孔
４    パネル
４１  上胴縁部
４２  縦線材
４３  横線材
４４  下胴縁部
５    門柱
６    押さえ部材
６１  立上り片
６２  連結片
６３  ボルト孔
７    落とし棒
Ｂ１  ビス
Ｂ２  ボルト
Ｎ２  ナット
Ｐ    門扉
【図１】
2015045161.tif 000003
【図２】
2015045161.tif 000004
【図３】
2015045161.tif 000005
【図４】
2015045161.tif 000006
【図５】
2015045161.tif 000007
【図６】
2015045161.tif 000008
【図７】
2015045161.tif 000009
【図８】
2015045161.tif 000010
【図９】
2015045161.tif 000011